(57)【要約】【課題】従来技術は、パレットの架台として有効である。しかし、この技術には、課題が有る。▲１▼上段のパレットを載架した状態で、下段のパレットを確実に収容又は取出し可能とすること、また▲２▼下段のパレットを持上げることで、直ちに上段のパレットを含め棚（架台）全体を移動すること、等は不可能であり、利便性に欠けること、また汎用性に欠けること、等の点である。【構成】本発明は、パレット挿入口を兼ねた下方枠体に立設した四本の柱と、柱に設けた棧枠体と、柱の上方に一段又は数段設けたパレットの架台部を兼ねる上方枠体とで構成したパレットの架台であって、棧枠体を、下方枠体のやや上方に内方に突出して設け、棧枠体と下方枠体とで形成した隙間を、パレットの厚み寸法よりやや大きく形成した構成とするパレットの架台である。架台に収容又は取出し自在に設けられているパレットを利用して、当該架台全体を持上げて移動できる。【選択図】図１
2004323044.tif 000002
【特許請求の範囲】
【請求項１】
パレット挿入口を兼ねた下方枠体と、この下方枠体に立設した少なくとも四本の柱と、この柱に設けた棧枠体と、前記柱の上方に一段又は数段設けたパレットの架台部を兼ねる上方枠体とで構成したパレットの架台であって、
前記棧枠体を、前記下方枠体のやや上方に内方に突出して設け、この棧枠体と前記下方枠体とで形成した隙間を、当該パレットの厚み寸法よりやや大きく形成した構成とするパレットの架台。
【請求項２】
請求項１に記載の棧枠体は、少なくとも三本の柱間に設けられており、下方枠体のパレット挿入口の柱間には棧枠体を設けない構成とするパレットの架台。
【請求項３】
請求項１に記載の上方枠体にストッパー枠体を設け、このストッパー枠体は、少なくとも三本の上方枠体部材の上方に設けられており、上方枠体のパレット挿入口の上方枠体部材にはストッパー枠体部材を設けない構成とするパレットの架台。
【発明の詳細な説明】
【０００１】
【発明の属する技術分野】
本発明は、パレットの架台に関する。
【０００２】
【従来の技術】
従来、パレットを収容する方法としては、一段又は数段の棚（パレットの架台）に収容する構造がある。この棚は、固定式と、移動式等の各種の態様がある。しかしながら、棚に出し入れ自在（収容又は取出し自在）に設けられているパレットを利用して、当該棚全体を持上げて移動する構造を採用しないので、不便であること、或いはパレットの収容と、この収容した状態から、直ちに棚全体を移動することは不可能であり、利便性に欠けること、等の問題があった。
【０００３】
またこの種のパレットの棚（パレットの架台）を、従来の文献を参考にして、再度、検討する。この文献としては、文献（１）、（２）が挙げられるので、以下、その概要を説明する。文献（１）は実開平６−５９３３９号のパレット自動搬送装置であり、この考案は、リフターが自動搬送装置に段積みされたパレットを把持し、このリフターシャフトの回転を利用して適宜位置に搬送する構成である。従って、棚（パレットの架台）に関しては、特別な配慮がない構造である。また文献（２）は特開平１１−３０１８５４号のパレット自動供給排出装置であり、この発明は、多段の棚構造に、複数のパレットを積上げ、この積上げたパレットを、昇降自在の上下段コンベアを介して収容又は引出し可能とした構造である。そして、把持されたパレットを、ロボット作業台の把持ロボットを利用して搬送及び移動することを特徴とする。従って、棚に関しては、特別な配慮がない構造である。
【０００４】
【発明が解決しようとする課題】
以上で説明した如く、従来技術、及び文献（１）、（２）においては、パレットの架台として有効である特徴を備えていないと考えられる。例えば、▲１▼上段のパレットを載架した状態で、下段のパレットを確実に収容又は取出し可能とすること、また▲２▼下段のパレットを持上げることで、直ちに上段のパレットを含め棚（架台）全体を移動すること、等は不可能であり、利便性に欠けること、また汎用性に欠けること、等の改良点がある。
【０００５】
【課題を解決するための手段】
請求項１の発明は、棚（架台）に出し入れ自在（収容又は取出し自在）に設けられているパレットを利用して、当該架台全体を持上げて移動する構造とすること、又は架台へのパレットの収容と、略同時に架台を持上げ移動できること、等を意図する。そして、本発明は、架台にパレットを収容し、この収容したパレットを、個別に取出し可能とし、一段、又は数段に設けた上段のパレットに関係なく、前述の作業ができること、を意図する。
【０００６】
請求項１は、パレット挿入口を兼ねた下方枠体と、この下方枠体に立設した少なくとも四本の柱と、この柱に設けた棧枠体と、前記柱の上方に一段又は数段設けたパレットの架台部を兼ねる上方枠体とで構成したパレットの架台であって、
前記棧枠体を、前記下方枠体のやや上方に内方に突出して設け、この棧枠体と前記下方枠体とで形成した隙間を、当該パレットの厚み寸法よりやや大きく形成した構成とするパレットの架台である。
【０００７】
請求項２の発明は、請求項１の目的を達成すること、又は多数のパレットを収容又は取出し可能とすること、等を意図する。
【０００８】
請求項２は、請求項１に記載の棧枠体は、少なくとも三本の柱間に設けられており、下方枠体のパレット挿入口の柱間には棧枠体を設けない構成とするパレットの架台である。
【０００９】
請求項３の発明は、請求項１の目的を達成すること、又は上段のパレットを、所定の位置に確実に収容し、又はこのパレットが落下しないようにすること、等を意図する。
【００１０】
請求項３は、請求項１に記載の上方枠体にストッパー枠体を設け、このストッパー枠体は、少なくとも三本の上方枠体部材の上方に設けられており、上方枠体のパレット挿入口の上方枠体部材にはストッパー枠体部材を設けない構成とするパレットの架台である。
【００１１】
【発明の実施の形態】
以下、本発明の実施の態様を説明する。
【００１２】
本発明は、パレットの架台を利用して、この上下方枠体に、パレットを収容する一例を説明する。この下方枠体には、開放されているパレット挿入口より、パレットを挿入する。この際、棧枠体と下方枠体とで形成した隙間が、当該パレットの厚み寸法よりやや大きく形成されているので、パレットはスムーズに下方枠体に収容される。また上方枠体に、パレットを収容する一例を説明する。この上方枠体には、開放されている前面開放部より、パレットを挿入する。この際、上方枠体には三方向にストッパー枠体が設けられているので、当該パレットは、上方枠体よりはみ出すこと、又は外れることなく、所定の位置に確実、かつスムーズに収容される。
【００１３】
そして、この下方枠体にパレットを収容した状態で、棚（架台）の持上げ（吊上げ）と、移動が図れる。即ち、下方枠体に収容したパレットを、リフト（全ての機種のフォークリフト）の爪を、パレットの支持用の孔に差込み、パレットを持上げると、このパレットの上面端部が、棧枠体に衝止する。従って、さらにパレットを持上げることで、この衝止により、架台がパレット及び荷物とともに持上げられるので、架台を床面より離して移動できる。またパレットは、棧枠体の三方向に衝止した構成の例では、架台、パレット及び荷物の重さに対応できる。また搬送する荷物により、棧枠体の寸法、本数、取付け長さ・幅を適宜選択する。そして、一般的には、荷物の形状、軽量な荷物、又は細かい荷物の例（小型・アルミ金型、小物機械部品、加工部品、小型工具等）では、棧枠体の構造を小さく、少なくすることも可能である。また逆に、荷物の形状、重量物と大型の荷物の例（金型、機械部品、加工品、工具等）では、棧枠体の構造を大きく、長くすることも可能である。このように少なくとも底板、棧枠体は、載架する荷物により変更可能であり、構造面、価格面、使用面等を考慮して決定される。
【００１４】
また上下方枠体に収容されたパレットを取出す場合は、リフトの爪を、パレットの支持用の孔に差込み、やや持上げた状態で、取出すことにより、それぞれ上下方枠体の上下方枠体部材に接触することなく、パレット及び上下方枠体部材を傷付けることなく、又は騒音を気にすることなく取出しできるので重宝する。この状況が確保できることは、下方枠体に設けた開放するパレット挿入口と、空間が形成される構成にある。一方、上方枠体のストッパー枠体が、下方枠体のパレット挿入口側に設けられていない構造による。
【００１５】
そして、本発明では、パレット挿入口の強度性の低下を回避するために、下方枠体の底板を幅広とする。また上方枠体の強度性の低下を回避するために、当該上方枠体部材をチャンネルの鋼材で構成し、この上方枠体部材の上に、三方向のストッパー枠体を設ける構成とする。尚、上方枠体は、図示の如く、上方開放であり、自由である。しかし、図６の例の如く、三段式（多段式）では、上方枠体に、下方枠体と同じように隙間の構造を採用した場合には、この下方枠体と同じような作業と特徴が発揮できる。即ち、パレットの収容と取出し、架台の持上げと、移動が図れる。
【００１６】
尚、架台は、当該架台同士で、段積みできる。
【００１７】
【実施例】
以下、本発明の一実施例を説明する。
【００１８】
１は架台であり、この架台１は、パレット挿入口２００を兼ねた下方枠体２と、この下方枠体２に立設した少なくとも四本の柱３と、この柱３に設けた棧枠体４と、前記柱３の上方に一段又は数段設けたパレットの架台部５００を兼ねる上方枠体５とを主構成要素とする。
【００１９】
この下方枠体２は、平板状で幅広の挿入側の底板２０１と、略チャンネル構造の下方枠体部材２０２とで構成されており、その中心部は開口２０３となっており、軽量化、低コスト化、搬送の容易化等を意図する。この下方枠体２の上方には、柱３より内方に突出する棧枠体４が設けられており、前記下方枠体２とこの棧枠体４との間には、パレットＡの厚みＡ’寸法Ａ−１よりやや大きく形成した隙間２０４が設けられる。従って、この隙間２０４には、自由にパレットＡを出し入れできる。そして、この隙間２０４にパレットＡを収容（挿入）した際に、空間２０４ａが形成される。この空間２０４ａがパレットＡの自由な出し入れと、  パレットＡを持上げた際に、当該パレットＡが空間２０４ａ領域を移動し、少なくともパレット挿入口２００を除いた棧枠体４を構成する三方向の棧枠体部材４００に接触し、この接触を利用してパレットＡ及び架台１並びに荷物を持上げ、また移動することができる。即ち、隙間２０４は、パレットＡの収容及び取出し用としての利用と、持上げ、設置等の際の衝撃吸収等に役立てる。尚、底板２０１は板状部材を利用し、次のことを意図する。即ち、パレットＡを重石として利用する際の効率化を図り、又はパレットＡ及び荷物を確実に積層し、またその安定性の向上、等を図ることにある。
【００２０】
前記架台部５００を兼ねる上方枠体５は、柱３の上方に設けた上方枠体部材５０１を方形状に配備して架台部５００を構成するとともに、この架台部５００の上方に、ストッパー枠体６を設ける。そして、このストッパー枠体部材６００は、パレット挿入口２００には設けず、パレットＡの収容等の容易化を図り、またパレットＡを上方枠体５の水平位置で収容及び取出し可能とする。またこのストッパー枠体部材６００は上方枠体５の端部上方より垂設した構成とする。これにより、パレットＡの上方枠体５（架台部５００）への収容等の容易化、迅速化等が図れること、またパレットＡの上方枠体５の所定位置に確実に設置できること、及び上方枠体５より落下を防止できること、等の特徴がある。
【００２１】
尚、本発明の架台１は、柱３を外郭として上下方枠体５、２又は棧枠体４等は内方にあり、当該架台１を併設、又は段積み等に有益である構成とした。そして、本発明の架台１は、移動の容易化、また移動時に他の部材、機材等を損傷しないこと等を考えた構造である。
【００２２】
また本発明では、図６、図７に示した多段式（三段式）もできる。図６の例は、下方枠体２と棧枠体４を、一段及び二段に設けた例であり、三段は上方枠体５とした構成である。この下方枠体２と棧枠体４は、前述の例と同様である。尚、柱３に切欠き部３００を設けて、下方枠体２の構造とすることも可能である。また図７の例は、二段は柱３に切欠き部３００を設け、この切欠き部３００に対応した位置に、四方向に支持枠体３０１を設けた例であり、低コスト化の指向、構造の簡略化等を意図する。また図示しないが、補強用として、クロス材、梁材等を設けることもあり得る。さらに架台１は、金属製を主とするが、プラスチック等の他の部材を採用することもあり得る。
【００２３】
図中１０は手動式のリフトを示す。このリフト１０でも簡易に持上げ、また移動ができるので重宝する。勿論、リフト１０の構造、形状、寸法、機種等は限定されない。
【００２４】
【発明の効果】
請求項１の発明は、パレット挿入口を兼ねた下方枠体と、下方枠体に立設した少なくとも四本の柱と、柱に設けた棧枠体と、柱の上方に一段又は数段設けたパレットの架台部を兼ねる上方枠体とで構成したパレットの架台であって、棧枠体を、下方枠体のやや上方に内方に突出して設け、棧枠体と下方枠体とで形成した隙間を、パレットの厚み寸法よりやや大きく形成した構成とするパレットの架台である。
【００２５】
従って、架台に収容又は取出し自在に設けられているパレットを利用して、当該架台全体を持上げて移動できる、又は架台へのパレットの収容と、略同時に架台を持上げ移動できること、等の特徴がある。また本発明は、架台にパレットを収容し、この収容したパレットを、個別に取出し可能とし、一段、又は数段に設けた上段のパレットに関係なく、前述の作業ができる実益がある。
【００２６】
請求項２の発明は、請求項１に記載の棧枠体は、少なくとも三本の柱間に設けられており、下方枠体のパレット挿入口の柱間には棧枠体を設けない構成とするパレットの架台である。
【００２７】
従って、請求項１の目的を達成できること、又は多数のパレットを収容又は取出し可能となること、等の実益がある。
【００２８】
請求項３の発明は、請求項１に記載の上方枠体にストッパー枠体を設け、ストッパー枠体は、少なくとも三本の上方枠体部材の上方に設けられており、上方枠体のパレット挿入口の上方枠体部材にはストッパー枠体部材を設けない構成とするパレットの架台である。
【００２９】
従って、請求項３は、請求項１の目的を達成できること、又は上段のパレットを、所定の位置に確実に収容し、又はこのパレットの落下防止が図れること、等の特徴がある。
【図面の簡単な説明】
【図１】本発明の架台の一例を示す正面斜視図
【図２】図１の要部の拡大正面斜視図
【図３】図１の使用の一例を示す正面斜視図
【図４】図１の他の使用の一例を示す正面斜視図
【図５】図１の使用の一例をリフトで持上げた状態を示す正面斜視図
【図６】本発明の架台の他の一例を示す正面斜視図
【図７】本発明の架台のさらに他の一例を示す正面斜視図
【符号の説明】
１        架台
２        下方枠体
２００      パレット挿入口
２０１      底板
２０２      下方枠体部材
２０３      開口
２０４      隙間
２０４ａ      空間
３        柱
３００      切欠き部
３０１      支持枠体
４        棧枠体
４００      棧枠体部材
５        上方枠体
５００      架台部
５０１      上方枠体部材
６        ストッパー枠体
６００      ストッパー枠体部材
１０        リフト
Ａ        パレット
Ａ’        厚み
Ａ−１      寸法
【図１】
2004323044.tif 000003
【図２】
2004323044.tif 000004
【図３】
2004323044.tif 000005
【図４】
2004323044.tif 000006
【図５】
2004323044.tif 000007
【図６】
2004323044.tif 000008
【図７】
2004323044.tif 000009